(57)【特許請求の範囲】
【請求項１】
室内気を冷媒との間で熱交換して室内へ送り出す室内熱交換器が設けられ、室内の壁面に据え付けられるベースと、該ベースの前面側に取り付けられて前記室内熱交換器の外周を覆う前面パネルとを有し、これら前記ベース及び前記前面パネルが互いに突き合わされて接合されることにより、前記ベースに前記前面パネルが取り付けられる室内ユニットであって、
互いに接合される前記ベース及び前記前面パネルを構成する板体の一方の板体には、他方の板体の内面に沿って延在しかつこの他方の板体に形成された係止部に係止する爪部を有する係止爪が形成され、
前記係止爪には、その先端部に、前記爪部の突出方向と逆方向へ押圧されることにより、前記係止部への前記爪部の係止を解除する押圧片が形成され、
他方の板体には、前記押圧片を臨む位置に、この押圧片を押圧して前記爪部の係止部への係止状態を解除させるための操作窓が形成され、
前記前面パネルには、吸い込む室内気の粉塵を取り除くエアフィルタを、前記前面パネルの内面に沿ってスライド可能に支持するとともに、その端部を前記係止部と前記係止爪との係止箇所に達する位置まで案内するレール溝が形成され、
該レール溝には、前記エアフィルタの端部を前記前面パネルの内面から離間する方向へ傾斜させる案内部を有し、
前記係止爪は、前記前面パネルの内面と前記案内部によって傾斜された前記エアフィルタの端部との間へ挿入されて前記係止部に係止されることを特徴とする室内ユニット。
【請求項２】
前記操作窓の縁部が、前記係止爪の爪部が係止する係止部とされていることを特徴とする請求項１記載の室内ユニット。
【請求項３】
室内気を冷媒との間で熱交換して室内へ送り出す室内熱交換器が設けられ、室内の壁面に据え付けられるベースと、該ベースの前面側に取り付けられて前記室内熱交換器の外周を覆う前面パネルとを有し、これら前記ベース及び前記前面パネルが互いに突き合わされて接合されることにより、前記ベースに前記前面パネルが取り付けられる室内ユニットであって、
前記ベースには、前記前面パネルの内面に沿って延在しかつ前面パネルに形成された係止部に係止する爪部を有する係止爪が形成され、
前記前面パネルには、吸い込む室内気の粉塵を取り除くエアフィルタを、前記前面パネルの内面に沿ってスライド可能に支持するとともに、その端部を前記係止部と前記係止爪との係止箇所に達する位置まで案内するレール溝が形成され、該レール溝には、前記エアフィルタの端部を前記前面パネルの内面から離間する方向へ傾斜させる案内部を有し、
前記係止爪は、前記前面パネルの内面と前記案内部によって傾斜された前記エアフィルタの端部との間へ挿入されて前記係止部に係止されることを特徴とする室内ユニット。
【発明の詳細な説明】
【０００１】
【発明の属する技術分野】
この発明は、暖房または冷房により快適な室内環境を提供する空気調和機を構成する室内ユニットに関するものである。
【０００２】
【従来の技術】
従来より、空気調和機は、室内ユニット及び室外ユニットから概略構成されている。これらの各ユニットには、冷媒と室内気との間及び冷媒と室外気との間における熱交換を行う室内熱交換器及び室外熱交換器が備えられている。
【０００３】
図４に示すように、室内に設置される室内ユニット１は、ベース２と前面パネル３とからなるケーシング４を有しており、このケーシング４の内部に、各種の機器が収納されている。
ベース２には、例えば、プレートフィンチューブ型の室内熱交換器、略円筒形状のクロスフローファン及び種々の動作制御を行うための各種電気回路素子から構成された室内ユニット制御部等の装置が設けられている。そして、上記構成の室内ユニット１は、据え付け板（図示略）によって室内の壁等に設置されるようになっている。
【０００４】
図５にも示すように、ベース２を構成する板体２ａには、その上部における前面パネル３との取り付け側に延在する係止爪５が形成されており、前面パネル３をベース２にあてがうことにより、これら係止爪５の上方側に突出された爪部５ａが、前面パネル３の上部を構成する板体３ａに形成された切欠からなる係止部６に係合し、ベース２の板体２ａと前面パネル３の板体３ａとが接続され、ベース２の前面側に前面パネル３が取り付けられるようになっている。
【０００５】
また、前面パネル３には、その前面及び上面に、格子状に形成された吸込グリル７を有しており、この吸込グリル７にて多方向から室内ユニット１内に室内の空気が吸い込まれるようになっている。前面パネル３には、吸込グリル７の裏面側に、着脱可能なエアフィルタ８が配設されている。これらエアフィルタ８は、その両側部が、前面パネル３に形成されたレール溝９にスライド可能に支持されており、その端部は、ベース２の係止爪５の下面側に配設されている。
つまり、エアフィルタ８をセットした前面パネル３を、ベース２の前面側から被せると、前面パネル３の板体３ａとエアフィルタ８との間に入り込み、その後、係止爪５の爪部５ａが、係止部６に係合するようになっている。
【０００６】
【発明が解決しようとする課題】
ところで、上記構造の室内ユニット１の内部装置のメンテナンスを行う場合、前面パネル３をベース２から取り外す必要がある。このため、作業者は、前面パネル３の板体３ａに形成された係止部６へドライバー等の工具を上方から立てた状態にて差し込んで係止爪５を下方へ押し下げて、爪部５の係止部６への係止状態を解除させ、その後、この前面パネル３を前方へ引っ張り、取り外していたが、室内ユニット１は、室内の天井に近い壁に取り付けられるため、手探りで工具の先端を小さな係止部６へ差し込まなければならず、その作業に多大な手間を要するという問題があった。
【０００７】
また、この室内ユニット１を組み立てる場合、エアフィルタ８をセットした前面パネル３を、ベース２の前面側から嵌め込んでいたが、このとき、係止爪５が、板体３ａとエアフィルタ８との間ではなく、図６に示すように、エアフィルタ８の下方側へ入り込んでしまい、係止爪５と係止部６とが係合されず、前面パネル３の取り付け不良を引き起こしてしまう恐れがあった。つまり、上記構造では、ベース２と前面パネル３との組み立て作業性が良くないという問題があった。
【０００８】
この発明は、上記事情に鑑みてなされたもので、ベースと前面パネルとの組み立て作業性が向上されて、極めて容易にベースへの前面パネルの着脱を行うことが可能な室内ユニットを提供することを目的としている。
【０００９】
【課題を解決するための手段】
上記目的を達成するために、請求項１記載の室内ユニットは、室内気を冷媒との間で熱交換して室内へ送り出す室内熱交換器が設けられ、室内の壁面に据え付けられるベースと、該ベースの前面側に取り付けられて前記室内熱交換器の外周を覆う前面パネルとを有し、これら前記ベース及び前記前面パネルが互いに突き合わされて接合されることにより、前記ベースに前記前面パネルが取り付けられる室内ユニットであって、互いに接合される前記ベース及び前記前面パネルを構成する板体の一方の板体には、他方の板体の内面に沿って延在しかつこの他方の板体に形成された係止部に係止する爪部を有する係止爪が形成され、前記係止爪には、その先端部に、前記爪部の突出方向と逆方向へ押圧されることにより、前記係止部への前記爪部の係止を解除する押圧片が形成され、他方の板体には、前記押圧片を臨む位置に、この押圧片を押圧して前記爪部の係止部への係止状態を解除させるための操作窓が形成され、前記前面パネルには、吸い込む室内気の粉塵を取り除くエアフィルタを、前記前面パネルの内面に沿ってスライド可能に支持するとともに、その端部を前記係止部と前記係止爪との係止箇所に達する位置まで案内するレール溝が形成され、該レール溝には、前記エアフィルタの端部を前記前面パネルの内面から離間する方向へ傾斜させる案内部を有し、前記係止爪は、前記前面パネルの内面と前記案内部によって傾斜された前記エアフィルタの端部との間へ挿入されて前記係止部に係止されることを特徴としている。
【００１０】
このように、メンテナンス等の作業を行うために前面パネルをベースから取り外す際に、操作窓から係止爪の先端部に形成された押圧片を指で押圧することにより、極めて容易に、係止爪の爪部を係止部から外してその係止状態を解除させて、前面パネルを取り外すことが可能となる。
これにより、係止爪をねじ回し等の工具を手探りで係止孔へ差し込んで係止状態を解除しなければならない従来構造と比較して、高所に設置された室内ユニットの前面パネルの取り外し作業にかかる手間が大幅に低減され、メンテナンス作業を容易にかつ短時間にて行うことが可能となる。
【００１１】
請求項２記載の室内ユニットは、請求項１記載の室内ユニットにおいて、前記操作窓の縁部が、前記係止爪の爪部が係止する係止部とされていることを特徴としている。
【００１２】
つまり、操作窓の縁部が、係止爪の爪部が係止する係止部とされて兼用されているので、構造の簡略化が図られる。
【００１３】
請求項３記載の室内ユニットは、室内気を冷媒との間で熱交換して室内へ送り出す室内熱交換器が設けられ、室内の壁面に据え付けられるベースと、該ベースの前面側に取り付けられて前記室内熱交換器の外周を覆う前面パネルとを有し、これら前記ベース及び前記前面パネルが互いに突き合わされて接合されることにより、前記ベースに前記前面パネルが取り付けられる室内ユニットであって、前記ベースには、前記前面パネルの内面に沿って延在しかつ前面パネルに形成された係止部に係止する爪部を有する係止爪が形成され、前記前面パネルには、吸い込む室内気の粉塵を取り除くエアフィルタを、前記前面パネルの内面に沿ってスライド可能に支持するとともに、その端部を前記係止部と前記係止爪との係止箇所に達する位置まで案内するレール溝が形成され、該レール溝には、前記エアフィルタの端部を前記前面パネルの内面から離間する方向へ傾斜させる案内部を有し、前記係止爪は、前記前面パネルの内面と前記案内部によって傾斜された前記エアフィルタの端部との間へ挿入されて前記係止部に係止されることを特徴としている。
【００１４】
すなわち、エアフィルタの先端部が、レール溝に形成された案内部によって前面パネルの内面から離間する方向へ傾斜されて前面パネルの内面とエアフィルタの端部との間隔が広くされるので、ベースへ前面パネルを取り付ける際に、前面パネルの内面とエアフィルタとの間へ係止爪が確実に挿入されて、係止爪の爪部が係止部へ確実に係止される。
これにより、組み立て時に係止部への係止爪の係止がエアフィルタによって邪魔されるような不具合がなくされ、組み立て作業性が大幅に向上される。
【００１５】
【発明の実施の形態】
以下、本発明の室内ユニットの実施の形態例を、図面を参照して説明する。なお、前述した従来技術と同一構造部分には、同一符号を付して説明を省略する。
図１において、符号１１は、本実施形態例の室内ユニット１のベース２を構成する板体２ａに形成された係止爪であり、符号１２は、前面パネル３を構成する板体３ａに形成された操作窓である。
【００１６】
図２にも示すように、係止爪１１には、上方側に突出された爪部１１ａよりも先端側に、先端方向へ向かって延在する押圧片１３が形成されている。
また、前面パネル３の板体３ａに形成された操作窓１２は、ベース２側の縁部が、係止爪１１の爪部１１ａが係合可能な係止部１２ａとされている。この操作窓１２は、係止爪１１の係止方向への長さ寸法Ｌが、約１０〜１２mmとされており、係止爪１１に形成された押圧片１３が操作窓１２にて充分に露出されている。なお、操作窓１２の幅寸法は、作業者が指を入れて係止爪１１の押圧片１３を充分に押圧することができる大きさとされている。
また、操作窓１２は、係止爪１１の押圧片１３によって塞がれており、この操作窓１２からケーシング４の内部に粉塵等が入らないようになっている。
【００１７】
また、前面パネル３に形成されて、エアフィルタ８を前面パネル３の内面に沿ってスライド可能に支持するレール溝９には、その端部に、テーパ形状の案内部１４が形成されている。
この案内部１４は、レール溝９を構成する板体３ａの内面側に形成された突起からなるもので、エアフィルタ８の挿入方向（図２中矢印イ方向）へ向かって次第に板体３の内面から離れる方向へ傾斜する案内面１４ａを有している。
そして、この案内面１４ａを有する案内部１４によって、レール溝９に支持されたエアフィルタ８の先端部が、前面パネル３の板体３ａから離間する方向へ傾斜されている。
【００１８】
次に、上記構成の室内ユニット１のケーシング４を構成するベース２と前面パネル３との取り付け、取り外しの仕方について説明する。
（１）取り付け作業
室内ユニット１を組み立てるためにベース２に前面パネル３を取り付ける場合は、レール溝９にエアフィルタ８を支持させた前面パネル３を、ベース２へ、その前面側からあてがう。
このようにすると、ベース２の係止爪１１が、前面パネル３の板体３ａとエアフィルタ８との間へ入り込み、その後、この係止爪１１の爪部１１ａが、操作窓１２のベース３側の縁部からなる係止部１２ａに係止し、この係止部１２ａへの係止爪１１の爪部１１ａの係止力によって、前面パネル３の板体３ａとベース２の板体２ａとが接合されて、前面パネル３がベース２に取り付けられる。
【００１９】
このとき、エアフィルタ８は、その先端部が、レール溝９に形成された案内部１４の案内面１４ａによって板体３ａから離間する方向へ傾斜されているので、板体３ａとエアフィルタ８との間隔が広くされ、これにより、これら板体３ａとエアフィルタ８との間へ係止爪１１が確実に挿入されて、その爪部１１ａが係止部１２ａに確実に係止する。
【００２０】
（２）取り外し作業
メンテナンス等の作業を行うために前面パネル３をベース２から取り外す場合は、作業者は、前面パネル３の板体３ａに形成された操作窓１２へ指を挿入してベース２の係止爪１１に形成された押圧片１３を上方側から下方へ押圧する。
ここで、係止爪１１の先端部に形成された押圧片１３は、操作窓１２によって充分に露出されているので、この押圧片１３を、その上方から容易に押圧することができる。
【００２１】
このようにすると、係止爪１１が弾性変形することにより、その爪部１１ａが下方へ移動されて操作窓１２の縁部からなる係止部１２ａへの係止状態が解除される。
全ての係止爪１１の係止部１２ａへの係止状態を解除したら、作業者は、前面パネル３を把持しながらこの前面パネル３を手前へ移動させ、ベース２から取り外す。
【００２２】
このように、上記の室内ユニット１によれば、メンテナンス等の作業を行うために前面パネル３をベース２から取り外す際に、前面パネル３の板体３ａに形成された操作窓１２から係止爪１１の先端部に形成された押圧片１２を指で押圧することにより、極めて容易に、係止爪１１の爪部１１ａを操作窓１２のベース２側の縁部からなる係止部１２ａから外してその係止状態を解除させて、前面パネル３を取り外すことができる。
これにより、係止爪をねじ回し等の工具を手探りで係止孔へ差し込んで係止状態を解除しなければならない従来構造と比較して、高所に設置された室内ユニット１の前面パネル３の取り外し作業にかかる手間を大幅に低減させることができ、メンテナンス作業を容易にかつ短時間にて行うことができる。
また、操作窓１２のベース２側の縁部を、係止爪１１の爪部１１ａが係止する係止部１２ａとして兼用したので、構造の簡略化を図ることができる。
【００２３】
さらには、エアフィルタ８の先端部が、レール溝９に形成された案内部１４によって板体３ａから離間する方向へ傾斜されて前面パネル３の板体３ａとエアフィルタ８との間隔が広くされるので、ベース２へ前面パネル３を取り付ける際に、板体３ａとエアフィルタ８との間へ係止爪１１を確実に挿入させて、係止爪１１の爪部１１ａを板体３ａの操作窓１２の縁部からなる係止部１２ａへ確実に係止させることができる。
これにより、組み立て時に係止部１２ａへの係止爪１１の係止がエアフィルタ８によって邪魔されるような不具合をなくすことができ、組み立て作業性を大幅に向上させることができる。
【００２４】
なお、上記の例では、係止爪１１の押圧片１２を露出させて指によって押圧可能な操作窓１２のベース２側の縁部を、係止爪１１の爪部１１ａが係止可能な係止部１２ａとしたが、この係止爪１１の爪部１１ａが係止可能な係止部を板体３ａへ別個に形成しても良い。
【００２５】
【発明の効果】
以上、説明したように、本発明の室内ユニットによれば、下記の効果を得ることができる。
請求項１記載の室内ユニットによれば、メンテナンス等の作業を行うために前面パネルをベースから取り外す際に、操作窓から係止爪の先端部に形成された押圧片を指で押圧することにより、極めて容易に、係止爪の爪部を係止部から外してその係止状態を解除させて、前面パネルを取り外すことができる。
これにより、係止爪をねじ回し等の工具を手探りで係止孔へ差し込んで係止状態を解除しなければならない従来構造と比較して、高所に設置された室内ユニットの前面パネルの取り外し作業にかかる手間を大幅に低減させることができ、メンテナンス作業を容易にかつ短時間にて行うことができる。
また、エアフィルタの先端部が、レール溝に形成された案内部によって前面パネルの内面から離間する方向へ傾斜されて前面パネルの内面とエアフィルタの端部との間隔が広くされるので、ベースへ前面パネルを取り付ける際に、前面パネルの内面とエアフィルタとの間へ係止爪を確実に挿入させて、係止爪の爪部を係止部へ確実に係止させることができる。これにより、組み立て時に係止部への係止爪の係止がエアフィルタによって邪魔されるような不具合をなくすことができ、組み立て作業性を大幅に向上させることができる。
請求項２記載の室内ユニットによれば、操作窓の縁部が、係止爪の爪部が係止する係止部とされて兼用されているので、構造の簡略化を図ることができる。
請求項３記載の室内ユニットによれば、エアフィルタの先端部が、レール溝に形成された案内部によって前面パネルの内面から離間する方向へ傾斜されて前面パネルの内面とエアフィルタの端部との間隔が広くされるので、ベースへ前面パネルを取り付ける際に、前面パネルの内面とエアフィルタとの間へ係止爪を確実に挿入させて、係止爪の爪部を係止部へ確実に係止させることができる。
これにより、組み立て時に係止部への係止爪の係止がエアフィルタによって邪魔されるような不具合をなくすことができ、組み立て作業性を大幅に向上させることができる。
【図面の簡単な説明】
【図１】  本発明の実施の形態の室内ユニットの構成及び構造を説明する室内ユニットの斜視図である。
【図２】  本発明の実施の形態の室内ユニットを構成するベースと前面パネルとの取り付け構造を説明する取り付け箇所の断面図である。
【図３】  本発明の実施の形態の室内ユニットを構成するベースと前面パネルとの取り付け構造を説明する取り付け箇所の断面図である。
【図４】  室内ユニットの構成及び構造を説明する室内ユニットの斜視図である。
【図５】  室内ユニットを構成するベースと前面パネルとの取り付け構造を説明する取り付け箇所の断面図である。
【図６】  室内ユニットを構成するベースと前面パネルとの取り付け時における不具合を説明する取り付け箇所の断面図である。
【符号の説明】
１  室内ユニット
２  ベース
２ａ、３ａ  板体
３  前面パネル
８  エアフィルタ
９  レール溝
１１  係止爪
１１ａ  爪部
１２  操作窓
１２ａ  係止部
１３  押圧片
１４  案内部
【図１】
0004451956.tif 000002
【図２】
0004451956.tif 000003
【図３】
0004451956.tif 000004
【図４】
0004451956.tif 000005
【図５】
0004451956.tif 000006
【図６】
0004451956.tif 000007